(57)【要約】【課題】従来に比べ高いブルーライトカット率を実現すると共に、当該カット率の調節を可能にすること。【解決手段】液晶パネル（４）の背面に装備され当該液晶パネル（４）を背面から照明するバックライト装置（１０）において、装置内に固定された複数の赤色ＬＥＤ，緑色ＬＥＤ及び青色ＬＥＤを備える。また、当該赤色ＬＥＤ，緑色ＬＥＤ及び青色ＬＥＤに電気的に接続し当該各ＬＥＤを駆動して照明光を照射させる駆動部（２）を有する。さらに、この駆動部（２）に電気的に接続し青色ＬＥＤの出力を調節する制御信号ＢＣを当該駆動部（２）に入力する制御部（３）を備える。そして、駆動部（２）は、制御信号ＢＣに応じて青色ＬＥＤの出力を調節する。【選択図】図１
2018105139.tif 000002
【特許請求の範囲】
【請求項１】
液晶パネルの背面に装備され当該液晶パネルを背面から照明するバックライト装置であって、  装置内に固定された複数の赤色ＬＥＤ，緑色ＬＥＤ及び青色ＬＥＤと、当該赤色ＬＥＤ，緑色ＬＥＤ及び青色ＬＥＤに電気的に接続し当該各ＬＥＤを駆動して照明光を照射させる駆動部と、この駆動部に電気的に接続し前記青色ＬＥＤの出力を調節する制御信号を当該駆動部に入力する制御部とを備え、  前記駆動部は、前記制御信号に応じて前記青色ＬＥＤの出力を調節する、バックライト装置。
【請求項２】
前記駆動部は、前記制御信号に応じて前記青色ＬＥＤの出力を０％から１００％まで調節可能とした、請求項１に記載のバックライト装置。
【請求項３】
前記制御部は、スイッチの操作に応じた前記制御信号を前記駆動部に入力する、請求項１又は２に記載のバックライト装置。
【請求項４】
請求項１又は２に記載のバックライト装置において、前記青色ＬＥＤの出力を経時的に調整するスケジュールを記憶するスケジュール記憶部を備え、  前記制御部は、前記スケジュール記憶部に記憶された前記スケジュールに応じて前記青色ＬＥＤの出力を経時的に調整する、バックライト装置。
【請求項５】
前記スケジュールは、午前中の青色ＬＥＤの出力を基準よりも強くする、請求項４に記載のバックライト装置。
【請求項６】
前記スケジュールは、夕方から夜にかけて青色ＬＥＤの出力を漸減させる、請求項４に記載のバックライト装置。
【請求項７】
液晶パネルの背面に請求項１乃至６のいずれか１項に記載のバックライト装置を装備した液晶ディスプレイ装置。
【発明の詳細な説明】
【技術分野】
【０００１】  本発明は、バックライト装置に係り、特に、液晶ディスプレイを背面から照明するバックライト装置に関する。
【背景技術】
【０００２】  昨今、コンピュータのディスプレイを一日中見続ける仕事が増えている。その仕事は、プログラマーやデザイナーだけでなく電子データを扱う経理担当者などにも広がっている。これらの仕事に用いられるディスプレイのほとんどは液晶ディスプレイ（ＬＣＤ）であり、その画面も大型になり、利用者が浴びるブルーライトが時間・量ともに増えている。【０００３】  ブルーライトによる人体への影響の問題が顕著化しつつある今、この問題の解決方法として行われているのは、第１に、利用者がブルーライトカット眼鏡等を掛けることである。この方法は非常に手軽であり、ブルーライトを６０％ほどカットできる。しかし、眼鏡に慣れていない人が一日中掛けているのは辛いことである。【０００４】  第２に、ブルーライトカットフィルタをディスプレイに貼る方法である。液晶ディスプレイにフィルタが貼られていれば、利用者は常にブルーライトを気にすることなくディスプレイを利用することができ、ブルーライトを最大で１００％カットすることも可能である。しかし、フィルタが常にブルーライトをカットするため、それによって変更された色味を元に戻すことができない、という不都合がある。【０００５】  第３に、ＬＣＤを制御することにより電子的にディスプレイの青色の出力を弱める方法がある。この場合も青色のＬＣＤの出力を変更するため、色味が変わってしまうが、スイッチの操作によりカット率を０％〜５０％ぐらいの間で調整することが可能である。【０００６】  ここで、ブルーライトの発生源は、バックライトである。現在バックライトには、近ＵＶ−ＬＥＤに黄色の蛍光剤を組合わせて得られる擬似白色が用いられている。このため、ブルーライト成分は、ＬＣＤの青色だけでなく、赤色及び緑色にも含まれている。よって、上述した第３の方法により、ＬＣＤを制御して青色の出力を抑えたとしても、ＬＣＤの赤色及び緑色に含まれているブルーライト成分はカットできないため、上記のようにブルーライトのカット率は精々５０％ぐらいが上限となる。【０００７】  なお、バックライトには、赤色ＬＥＤ、緑色ＬＥＤ及び青色ＬＥＤをそれぞれ適所に配置して発光させることにより白色光を得るタイプもある（例えば、特許文献１）。また、小さいパッケージに赤色ＬＥＤ、緑色ＬＥＤ及び青色ＬＥＤを個別に内蔵したワンパッケージの白色ＬＥＤが製品化されている。
【先行技術文献】
【特許文献】
【０００８】
【特許文献１】特開２００８−２１６４９号公報
【発明の概要】
【発明が解決しようとする課題】
【０００９】  本発明は、従来に比べ高いブルーライトカット率を実現すると共に、当該カット率を調節可能とすることを課題とする。
【課題を解決するための手段】
【００１０】  この課題を解決するため、本発明は、以下の構成を採る。即ち、液晶パネルの背面に装備され当該液晶パネルを背面から照明するバックライト装置において、装置内に固定された複数の赤色ＬＥＤ，緑色ＬＥＤ及び青色ＬＥＤを備える。また、当該赤色ＬＥＤ，緑色ＬＥＤ及び青色ＬＥＤに電気的に接続し当該各ＬＥＤを駆動して照明光を照射させる駆動部を有する。さらに、この駆動部に電気的に接続し青色ＬＥＤの出力を調節する制御信号を当該駆動部に入力する制御部を備える。そして、駆動部は、制御信号に応じて青色ＬＥＤの出力を調節する、という構成を採っている。【００１１】  ここで、赤色ＬＥＤ，緑色ＬＥＤ及び青色ＬＥＤは、ワンパッケージの白色ＬＥＤ製品に内蔵されていてもよい。また、この白色ＬＥＤ製品を上記装置内に複数固定することによって、上記「装置内に固定された複数の赤色ＬＥＤ，緑色ＬＥＤ及び青色ＬＥＤ」を構成してもよい。【００１２】  これによると、バックライトを照射する赤色ＬＥＤ，緑色ＬＥＤ及び青色ＬＥＤのうち、青色ＬＥＤの出力を独立して調節することができるので、バックライトのブルーライト成分を抑えることができる。よって、ＬＣＤの赤色、緑色及び青色のすべての出力からブルーライトを低減することができる。従来技術の第３の方法では、ＬＣＤで青色の出力を抑えても、ＬＣＤの赤色及び緑色の出力に含まれるブルーライト成分をカットできなかったが、本発明によれば、ＬＣＤの赤色、緑色及び青色のすべての出力でブルーライト成分を抑えることができる。
【発明の効果】
【００１３】  よって、本発明によれば、従来に比べ高いブルーライトカット率を実現すると共に、当該カット率を調節することが可能となる。
【図面の簡単な説明】
【００１４】
【図１】図１は、本発明を含む液晶ディスプレイ装置の概略構成図である。
【図２】図２は、図１に示す駆動部および制御部の詳細を示す構成図である。
【図３】図３は、図２のスケジュール記憶部に登録されるスケジュールの一例を示す説明図である。
【発明を実施するための形態】
【００１５】  以下、本発明の実施形態を図１を参照して説明する。図１において、液晶ディスプレイ装置２０は、液晶パネル４を備えている。液晶パネル４の背面には、バックライト装置１０が装備されている。バックライト装置１０は、液晶パネル４を背面から照明する。
【００１６】  バックライト装置１０は、バックライトユニット１と、駆動部２と、制御部３とを備えている。バックライトユニット１は、内部の適所に配置された複数の赤色ＬＥＤ，緑色ＬＥＤ及び青色ＬＥＤを備え、赤色ＬＥＤ，緑色ＬＥＤ及び青色ＬＥＤの３原色による照射光（白色光）により液晶パネル４を背面から照明する。駆動部２は、赤色ＬＥＤ，緑色ＬＥＤ及び青色ＬＥＤに電気的に接続し当該各ＬＥＤを駆動して上記の照射光を出力させる。制御部３は、この駆動部２に電気的に接続し青色ＬＥＤの出力（強さ、輝度）を調節するＰＷＭ等の制御信号ＢＣを当該駆動部２に入力する。駆動部２は、制御信号ＢＣに応じて青色ＬＥＤの出力を調節する。
【００１７】  これを更に詳述すると、本実施形態において、駆動部２は、制御信号ＢＣに応じて青色ＬＥＤの出力を０％から１００％まで調節する。制御部３は、ユーザのスイッチ操作に応じた制御信号ＢＣを駆動部２に入力する。
【００１８】  そして、ユーザがスイッチを操作すると、制御部３から出力される制御信号ＢＣが変化し、この制御信号ＢＣの変化に応じて、駆動部２は、青色ＬＥＤの出力を０％〜１００％の間で調節する。よって、液晶ディスプレイ装置２０から照射されるブルーライトのカット率を０％から１００％まで調節することができる。
【００１９】  以上説明した実施形態によれば、バックライトを照射する赤色ＬＥＤ，緑色ＬＥＤ及び青色ＬＥＤのうち、青色ＬＥＤの出力を独立して０％から１００％まで調節することができるので、バックライトのブルーライト成分を完全にカットすることも可能である。よって、ＬＣＤの赤色、緑色及び青色のすべての出力からブルーライトを完全にカットすることも可能であり、本実施形態によれば、従来に比べ高いブルーライトカット率を実現すると共に、当該カット率を調節することが可能となる。
【００２０】  図２は、駆動部２及び制御部３の詳細な構成を示す。駆動部２は、Ｒドライバ２１（赤色ＬＥＤドライバ）、Ｇドライバ２２（緑色ＬＥＤドライバ）及びＢドライバ２３（青色ＬＥＤドライバ）を備えている。Ｒドライバ２１は、複数の赤色ＬＥＤ１１に駆動電圧を印加する電気回路である。同様に、Ｇドライバ２２は、複数の緑色ＬＥＤ１２に駆動電圧を印加する電気回路である。Ｂドライバ２３は、複数の青色ＬＥＤ１３に駆動電圧を印加する電気回路である。  
【００２１】  また、制御部３は、Ｂ制御部３１（ブルーライト制御部）、タイマ３２、ユーザ操作部３３及びＢスケジュール記憶部３４（ブルーライトスケジュール記憶部）を備えている。Ｂ制御部３１は、演算装置を含むプロセッサを備え、決められたプロセスの実行により各種の機能を実現する。タイマ３２は、現在の時刻をＢ制御部３１に与える。ユーザ操作部３３は、ユーザの操作に応じた信号をＢ制御部３１に入力する入力装置である。Ｂスケジュール記憶部３４は、ブルーライトの強さの経時的な変化（スケジュール）を１ないし複数記憶するメモリ等の記憶装置である。電源５は、Ｒドライバ２１、Ｇドライバ２２及びＢ制御部３１に電力を供給する。
【００２２】  Ｂ制御部３１は、デフォルトで又はユーザ操作部３３の操作により、通常モードに設定される。通常モードにおいて、Ｂ制御部３１は、ユーザ操作部３３からブルーライトの強さを強める操作又は強さを弱める操作を受け付ける。Ｂ制御部３１は、受け付けた操作に応じた制御信号を、操作の都度、Ｂドライバ２３に入力する。Ｂドライバ２３は、入力された制御信号に応じて、操作の都度、ブルーライトの強さを一段階強める又は一段階弱めるように、複数の青色ＬＥＤ１３に入力する駆動信号を変化させる。これにより、バックライト装置１０は、ブルーライトの強さをユーザの操作に応じて、ユーザの希望する強さに設定することができる。
【００２３】  また、Ｂ制御部３１は、ユーザ操作部３３の操作により、スケジュールモードに設定される。スケジュールモードにおいて、Ｂ制御部３１は、Ｂスケジュール記憶部３４に記憶されたブルーライトの強さのスケジュールを参照し、タイマ３２から取得する現在の時刻に応じて、ブルーライトの強さを経時的に変化させる。Ｂ制御部３１は、スケジュールに応じてブルーライトの強さが経時的に変化するように、適時に適切な制御信号をＢドライバ２３に入力する。Ｂドライバ２３は、入力される制御信号に応じて複数の青色ＬＥＤ１３が出力するブルーライトの強さをスケジュール通りに経時的に変化させる。
【００２４】  ブルーライトは、目に悪い影響を与えると言われるが、それだけでなく、体内時計を狂わせることが知られている。海外出張などで、時差ボケを朝日を浴びて治すことがあるが、それを利用したものである。ブルーライトには、脳を覚醒する性質がある。そこで、本願では、バックライトのブルーライトを制御することにより、ブルーライトのカットだけでなく、覚醒作用を利用することを提案する。
【００２５】  例えば、図３に示すように、ブルーライトの強さのスケジュールを設定する。Ｐ０は基準のブルーライトの強さを示す。Ｐ１は基準よりも強いブルーライトの強さを示す。Ｐ２は基準よりも弱いブルーライトの強さを示す。午前中は、脳を覚醒させるために、基準よりも強めのブルーライトを浴びせる。夕方（帰宅時間近く）になると、基準から徐々にブルーライトをカットし、夜に向けて睡眠導入を図り、体調を整える。
【００２６】  この例のように、本実施形態によれば、ブルーライトの強さをスケジュールに応じて自動的に変化させることにより、ブルーライトを積極的に利用することが可能となる。
【００２７】  Ｂ制御部３１は、ユーザ操作部３３が受け付けた操作に応じて、スケジュールを設定し、Ｂスケジュール記憶部３４に登録してもよい。また、Ｂ制御部３１は、ユーザ操作部３３が受け付けた操作に応じて、Ｂスケジュール記憶部３４に登録されている複数のスケジュールから適用する１のスケジュールを選択してもよい。
【００２８】  ここで、本発明の範囲は、請求の範囲に記載した範囲であり、上記の実施形態に限られるものではない。例えば、バックライト装置１０は、上記実施形態のように青色の出力を制御するが、これに加え、赤色や緑色の出力を制御する機能を備えていてもよい。
【符号の説明】
【００２９】１  バックライトユニット２  駆動部３  制御部４  液晶パネル５  電源１０  バックライト装置１１  複数の赤色ＬＥＤ１２  複数の緑色ＬＥＤ１３  複数の青色ＬＥＤ２０  液晶ディスプレイ装置２１  Ｒドライバ２２  Ｇドライバ２３  Ｂドライバ３１  Ｂ制御部３２  タイマ３３  ユーザ操作部３４  Ｂスケジュール記憶部
【図１】
2018105139.tif 000003
【図２】
2018105139.tif 000004
【図３】
2018105139.tif 000005
【手続補正書】
【提出日】平成30年3月31日(2018.3.31)
【手続補正１】
【補正対象書類名】特許請求の範囲
【補正対象項目名】全文
【補正方法】変更
【補正の内容】
【特許請求の範囲】
【請求項１】
液晶パネルの背面に装備され当該液晶パネルを背面から照明するバックライト装置であって、
装置内に固定された複数の赤色ＬＥＤ，緑色ＬＥＤ及び青色ＬＥＤと、当該赤色ＬＥＤ，緑色ＬＥＤ及び青色ＬＥＤに電気的に接続し当該各ＬＥＤを駆動して照明光を照射させる駆動部と、この駆動部に電気的に接続し前記青色ＬＥＤの出力を調節する制御信号を当該駆動部に入力する制御部とを備え、
前記駆動部は、前記制御信号に応じて前記青色ＬＥＤの出力を調節する、バックライト装置において、
前記青色ＬＥＤの出力を経時的に調整するスケジュールを記憶するスケジュール記憶部を備え、
前記制御部は、前記スケジュール記憶部に記憶された前記スケジュールに応じて前記青色ＬＥＤの出力を経時的に調整する、バックライト装置。
【請求項２】
前記駆動部は、前記制御信号に応じて前記青色ＬＥＤの出力を０％から１００％まで調節可能とした、請求項１に記載のバックライト装置。
【請求項３】
前記制御部は、スイッチの操作に応じた前記制御信号を前記駆動部に入力する、請求項１又は２に記載のバックライト装置。
【請求項４】
前記スケジュールは、午前中の青色ＬＥＤの出力を基準よりも強くする、請求項１に記載のバックライト装置。
【請求項５】
前記スケジュールは、夕方から夜にかけて青色ＬＥＤの出力を漸減させる、請求項１に記載のバックライト装置。
【請求項６】
液晶パネルの背面に請求項１乃至５のいずれか１項に記載のバックライト装置を装備した液晶ディスプレイ装置。
【国際調査報告】
2018105139.tif 000006
2018105139.tif 000007